(57)【要約】      （修正有）【課題】安定的に作動し、長寿命のフィットネス機器を提供する。【解決手段】第１の支持フレーム１００と、第２の支持フレーム２００と、第２の支持フレームと同軸に第１の支持フレームに回転可能に支持されており第２の支持フレームに回動的に結合される凸部３００と、回動可能に変位伸縮し第１の支持フレーム内に位置が制限されている線形弾性部材４００と、線形弾性部材に連動する連結ロッド５００と、を備える。第２の支持フレームが第１の支持フレームに対して揺動する場合、連結ロッドが剛性構造であるため、連結ロッドは線形弾性部材の跳ねる範囲を制限することができ、線形弾性部材を安定的に伸縮させ、線形弾性部材が第１の支持フレームの内壁に接触することを防止することができる。従って、連結ロッドを使って線形弾性部材の接触による音及び素子の摩耗を回避し、ノイズが無く素子の寿命が長くなるという効果を達成することができる。【選択図】図１
0003198063.tif 000002
【実用新案登録請求の範囲】
【請求項１】
第１の支持フレームと、
前記第１の支持フレームに回転可能に支持されている第２の支持フレームと、
前記第２の支持フレームに回動的に結合されており、前記第２の支持フレームと同軸に前記第１の支持フレームに回転可能に支持されている凸部と、
前記第１の支持フレームに設けられる第１の端部と、外へ穴が開口されている収納空間を有する第２の端部と、を含み、前記第１の支持フレームにおいて伸縮して跳ねる線形弾性部材と、
前記穴によって前記収納空間内に位置が制限されている接続端と、前記穴の中に回動可能に伸縮するロッド本体と、前記凸部に回転可能に支持されている力作用端部とから構成されている連結ロッドと、を備えるフィットネス機器。
【請求項２】
前記連結ロッドの前記接続端は、球体である請求項１に記載のフィットネス機器。
【請求項３】
前記凸部は、前記第１の支持フレームの内壁に当接可能な当接端部と、固定端部と、を含み、前記力作用端部が前記固定端部に回転可能に支持されている請求項１に記載のフィットネス機器。
【請求項４】
前記第２の支持フレーム及び前記凸部とは、同軸に前記第１の支持フレームに回転可能に支持されている滑車を備える請求項１に記載のフィットネス機器。
【請求項５】
前記第１の支持フレームに設けられるサドルを備える請求項１に記載のフィットネス機器。
【請求項６】
前記第２の支持フレームは、ユーザーの体を支持可能なバッククッションを含む請求項１に記載のフィットネス機器。
【請求項７】
第１の支持フレームと、
前記第１の支持フレームに回転可能に支持されている第２の支持フレームと、
前記第２の支持フレームと一体結合されており、前記第２の支持フレームと同軸に前記第１の支持フレームに回転可能に支持されている凸部と、
前記第１の支持フレームに設けられる第１の端部と、外へ穴が開口されている収納空間を有する第２の端部と、を含み、前記第１の支持フレームにおいて伸縮して跳ねる線形弾性部材と、
前記穴によって前記収納空間内に位置が制限されている接続端と、前記穴の中に回動可能に伸縮するロッド本体と、前記凸部に回転可能に支持されている力作用端部とから構成されている連結ロッドと、
係合部材と、ネジ締め部材と、前記第１の支持フレームに位置決められるネジ部材と、を含み、変位可能に前記第１の端部を位置決めする調整モジュールと、を備え、
前記係合部材の両端が、前記第１の端部及び前記ネジ締め部材の一端にそれぞれ係合されており、前記ネジ締め部材の他端が前記ネジ部材にロックされているフィットネス機器。
【請求項８】
前記連結ロッドの前記接続端は、球体である請求項７に記載のフィットネス機器。
【請求項９】
前記凸部は、前記第１の支持フレームの内壁に当接する当接端部と、固定端部と、を含み、前記力作用端部が前記固定端部に回転可能に支持されている請求項７に記載のフィットネス機器。
【請求項１０】
前記第２の支持フレーム及び前記凸部とは、同軸に前記第１の支持フレームに回転可能に支持されている滑車を備える請求項７に記載のフィットネス機器。
【請求項１１】
前記第１の支持フレームに設けられるサドルを備える請求項７に記載のフィットネス機器。
【請求項１２】
前記第２の支持フレームは、ユーザーの体を支持可能なバッククッションを含む請求項７に記載のフィットネス機器。
【考案の詳細な説明】
【技術分野】
【０００１】
本考案は、フィットネス機器に関し、特に剛性連結ロッド構造を用いるフィットネス機器に関する。
【背景技術】
【０００２】
一般的に、多機能のフィットネス機器は、往復クランピング式支持フレームを有し、支持フレームのクランピングによって仰臥起き上がり、腕立て伏せ、腹部トレーニング等の運動を補助して、単一機械で多種類の運動を補助する効果を達成する。
【０００３】
従来の往復クランピング式フィットネス機器の復位部材は、ねじりバネ又は線形弾性部材を用いるが、ねじりバネの弾力が大きすぎで、小さい復元力を求めるユーザーに適合しなく、且つねじりバネが容易に疲労して変形する。また、復元力を調節する必要がある場合、異なる復元力のあるねじりバネを変換する必要があり、使用及び変換の操作が不便であり、異なる程度の力を求める多くのユーザーグループにも適合しない。従って、従来の製品のユーザーは、自分でねじりバネのねじり力を調節しにくく、従来の技術の使用効果も制限される。
【０００４】
また、復位部材に線形弾性部材が用いられる場合、特許文献１では、フィットネス機器がケーブルによって直接又は間接に線形弾性部材を連結し動かして、フィットネス機器に往復揺動する時に適当な復元力を持たせることを開示した。ユーザーは、ケーブルによって自分で線形弾性部材の復元力を調節して、カスタマイゼーションの要求に達することができる。しかしながら、従来のケーブルの何れも軟性構造であり、線形弾性部材を連結し動かしている間に、多くのガイド構造及び設計によってケープルをガイドする必要があるだけでなく、且つケーブルが効果的で速やかに線形弾性部材の変位又は回動を制限することができなく、線形弾性部材が伸縮する時に跳ねることが激しすぎるため容易にフィットネス機器の他の素子に接触し、更に衝突音及び素子の摩耗という問題が発生して、この問題により、ユーザーの快適さ、購買意欲が低下し、フィットネス機器の素子の寿命が短くなる。
【先行技術文献】
【特許文献】
【０００５】
【特許文献１】台湾実用新案公告第Ｍ４６２１３３号明細書
【考案の概要】
【考案が解決しようとする課題】
【０００６】
本考案は、従来の技術におけるケーブルが効果的で速やかに線形弾性部材の変位又は回動を制限することができなく、且つ線形弾性部材が伸縮する時に跳ねることが激しすぎるため容易にフィットネス機器の他の素子に接触し、更に衝突音及び素子の摩耗という問題の発生を解決するためのフィットネス機器を提供する。
【課題を解決するための手段】
【０００７】
本考案の一態様によると、第１の支持フレームと、第１の支持フレームに回転可能に支持されている第２の支持フレームと、第２の支持フレームに回動的に結合されており、第２の支持フレームと同軸に第１の支持フレームに回転可能に支持されている凸部と、第１の支持フレームに設けられる第１の端部と外へ穴が開口されている収納空間を有する第２の端部とを含み、第１の支持フレームにおいて伸縮し跳ねる線形弾性部材と、穴によって収納空間内に位置が制限されている接続端と穴の中に回動可能に伸縮するロッド本体と凸部に回転可能に支持されている力作用端部とから構成されている連結ロッドと、を備えるフィットネス機器を提供する。
【０００８】
本考案の一態様によると、上記連結ロッドの接続端は球体であってもよい。
【０００９】
本考案の一態様によると、上記凸部は、第１の支持フレームの内壁に当接可能な当接端部と、固定端部と、を含んでもよく、力作用端部が固定端部に回転可能に支持されている。
【００１０】
本考案の一態様によると、上記フィットネス機器は、第２の支持フレーム及び凸部とすべて同軸に第１の支持フレームに回転可能に支持されている滑車を備えてもよい。
【００１１】
本考案の一態様によると、上記フィットネス機器は、第１の支持フレームに設けられるサドルを備えてもよい。
【００１２】
本考案の一態様によると、上記第２の支持フレームは、ユーザーの体を支持可能なバッククッションを含んでもよい。
【００１３】
本考案の別の態様によると、第１の支持フレームと、第１の支持フレームに回転可能に支持されている第２の支持フレームと、第２の支持フレームと一体結合されており、第２の支持フレームと同軸に第１の支持フレームに回転可能に支持されている凸部と、第１の支持フレームに設けられる第１の端部と外へ穴が開口されている収納空間を有する第２の端部とを含み、第１の支持フレームにおいて伸縮して跳ねる線形弾性部材と、穴によって収納空間内に位置が制限されている接続端と穴の中に回動可能に伸縮するロッド本体と凸部に回転可能に支持されている力作用端部とから構成されている連結ロッドと、係合部材とネジ締め部材と第１の支持フレームに位置決められるネジ部材とを含み、変位可能に第１の端部を位置決めする調整モジュールと、を備え、係合部材の両端が、第１の端部及びネジ締め部材の一端にそれぞれ係合されており、ネジ締め部材の他端がネジ部材にロックされているフィットネス機器を提供する。
【００１４】
本考案の別の態様によると、上記連結ロッドの接続端は球体であってもよい。
【００１５】
本考案の別の態様によると、上記凸部は、第１の支持フレームの内壁に当接可能な当接端部と、固定端部と、を含んでもよく、力作用端部が固定端部に回転可能に支持されている。
【００１６】
本考案の別の態様によると、上記フィットネス機器は、第２の支持フレーム及び凸部とすべて同軸に第１の支持フレームに回転可能に支持されている滑車を備えてもよい。
【００１７】
本考案の別の態様によると、上記フィットネス機器は、第１の支持フレームに設けられるサドルを備えてもよい。
【００１８】
本考案の別の態様によると、上記第２の支持フレームは、ユーザーの体を支持可能なバッククッションを含んでもよい。
【００１９】
上記のように、本考案に係るフィットネス機器は、剛性構造の連結ロッドによって従来の軟性ケーブルを取って代わって、線形弾性部材と組み合わせて往復クランピングの操作を実現する。この連結ロッドにより、線形弾性部材が第１の支持フレームに位置が制限され、且つこの剛性連結ロッドは、線形弾性部材の跳ね範囲を制限して、線形弾性部材が周囲の他の部材に接触する又は突き当たることを防止することができる。従って、剛性連結ロッドによって、線形弾性部材が接触又は突き当たりによる音と素子の摩耗を回避することができ、安定的に作動でき、ノイズが無く素子の寿命が長くなるという効果を達成する。
【図面の簡単な説明】
【００２０】
【図１】本考案の一実施形態に係るフィットネス機器を示す分解図である。
【図２】本考案の一実施形態に係るフィットネス機器の連結ロッド及び線形弾性部材を示す要部断面図である。
【図３】本考案の一実施形態に係るフィットネス機器の組み立てを示す要部斜視図である。
【図４】本考案の一実施形態に係るフィットネス機器を示す要部断面図である。
【図５】本考案の一実施形態に係るフィットネス機器の第２の支持フレームが回動した後の状態を示す要部断面図である。
【図６】本考案の一実施形態に係るフィットネス機器の作動を示す模式図である。
【考案を実施するための形態】
【００２１】
図１〜６を合わせて参照されたい。図１は、本考案の一実施形態によるフィットネス機器を示す分解図である。図２は、本実施形態の連結ロッド及び線形弾性部材を示す一部断面図である。図３は、本実施形態のフィットネス機器を示す一部組み立て立体図である。図４及び図５は、それぞれ本実施形態の第２の支持フレームが回動する前の様子と回動した後の様子を示す一部断面図である。図６は、本実施形態のフィットネス機器を示す動作模式図である。前記各図に基づいて以下の本実施形態の構造及び動作を十分に説明することができる。
【００２２】
図１〜３に示すように、このフィットネス機器は、第１の支持フレーム１００と、第２の支持フレーム２００と、凸部３００と、線形弾性部材４００と、連結ロッド５００と、調整モジュール６００と、滑車７００と、サドル８００と、を備える。凸部３００は、当接端部３１０と、固定端部３２０と、を含み、線形弾性部材４００は、第１の端部４１０と、第２の端部４２０と、を含み、連結ロッド５００は、球体接続端部５１０と、ロッド本体５２０と、力作用端部５３０とから構成され、調整モジュール６００は、係合部材６１０と、ネジ締め部材６２０と、ネジ部材６３０と、を含む。
【００２３】
上記フィットネス機器の構造において、第２の支持フレーム２００は、第１の支持フレーム１００に回転可能に支持されており、凸部３００は、第２の支持フレーム２００に回動的に結合され、第２の支持フレーム２００と同軸に第１の支持フレーム１００に回転可能に支持されており、連結ロッド５００の力作用端部５３０は、凸部３００の固定端部３２０に回転可能に支持されている。第２の支持フレーム２００が回動している間に、連結ロッド５００は、凸部３００によって動かされて線形弾性部材４００を伸縮させる。線形弾性部材４００は、変位し伸縮することができ、第１の支持フレーム１００において跳ねることもでき、第１の端部４１０が第１の支持フレーム１００に設けられる。
【００２４】
線形弾性部材４００の第２の端部４２０は、収納空間４２１を含み、この収納空間４２１の末端が内へ収縮して穴４２２を形成し、この穴４２２の口径が球体接続端部５１０の直径よりも小さく、ロッド本体５２０の直径よりも大きく、これにより、球体接続端部５１０が第２の端部４２０の収納空間４２１の中に位置が制限され、ロッド本体５２０が穴４２２の中に回動自在に伸縮することができる。
【００２５】
図１及び図４に示すように、第２の支持フレーム２００が回動する前に、線形弾性部材４００は、弾力によって連結ロッド５００を引っ張り、連結ロッド５００が凸部３００の固定端部３２０に連動して、凸部３００の当接端部３１０を緊密に第１の支持フレーム１００の内壁に当接させる。同時に、凸部３００と第２の支持フレーム２００とは同軸に第１の支持フレーム１００に回転可能に支持されているため、第２の支持フレーム２００は変位がなく安定的な状態となり、バッククッション２１０の重量又は第２の支持フレーム２００自身の重量のため第２の支持フレーム２００が回動したり落ちたりしない。
【００２６】
図１及び図５に示すように、第２の支持フレーム２００が回動した後、凸部３００の当接端部３１０は、第１の支持フレーム１００の内壁から遠く離れ、凸部３００の固定端部３２０は、連結ロッド５００の力作用端部５３０を引っ張り、球体接続端部５１０と第２の端部４２０との緊密な連結によって線形弾性部材４００を長く引っ張る。第２の支持フレーム２００を押し付ける外力が解消される場合、第２の支持フレーム２００は回動する前の状態に戻るようとなる。また、上記フィットネス機器の第２の支持フレーム２００は凸部３００と一体結合であってもよい。
【００２７】
調整モジュール６００は、調整可能に線形弾性部材４００の第１の端部４１０を位置決め、調整モジュール６００の係合部材６１０の両端がそれぞれ第１の端部４１０及びネジ締め部材６２０の一端に係合され、ネジ締め部材６２０の他端がネジ部材６３０にロックされる。ネジ部材６３０は、第１の支持フレーム１００に位置決められ、ネジ部材６３０を回転させることによってネジ締め部材６２０を変位させることができ、更に係合部材６１０の第１の支持フレーム１００における位置を移動する及び調整することができる。係合部材６１０の位置がネジ部材６３０に近ければ近いほど、線形弾性部材４００の第１の端部４１０がネジ部材６３０に接近して線形弾性部材４００の長さが長く伸ばされて、更に線形弾性部材４００の往復揺動する時の復元力は増加されるようとなり、それと反対して、係合部材６１０の位置がネジ部材６３０に遠ければ遠いほど、線形弾性部材４００の第１の端部４１０が凸部３００に接近して線形弾性部材４００の長さが縮め、更に線形弾性部材４００の往復揺動する時の復元力は削減されるようとなる。
【００２８】
滑車７００と、第２の支持フレーム２００及び凸部３００とは、すべて同軸に第１の支持フレーム１００に回転可能に支持されており、第２の支持フレーム２００及び凸部３００は、滑車７００によって第１の支持フレーム１００に対して往復揺動することができる。また、サドル８００は、第１の支持フレーム１００に設けられてユーザーの体を支えることに用いられてもよい。第２の支持フレーム２００は、バッククッション２１０を更に含んでもよく、バッククッション２１０が発泡材又は緩衝材であってユーザーの体を支えることに用いられてもよい。
【００２９】
図６に示すように、第２の支持フレーム２００が力を受けて第１の支持フレーム１００に対して揺動することができ、且つ線形弾性部材４００の提供する復元力により、揺動する前の位置に第２の支持フレーム２００を復帰させる。ユーザーがサドル８００に座り、背部をバッククッション２１０に寄りかからせてもよく、この状況において、フィットネス機器は、起き上がり運動を補助することに用いられてもよい。なお、ユーザーがフィットネス機器の上方に伏せ、胸をバッククッション２１０に当接させてもよく、この状況において、フィットネス機器は、腕立て伏せ運動を補助することに用いられてもよい。また、ユーザーがフィットネス機器を足の下に置いてもよく、両足を２つのバッククッション２１０にそれぞれ踏み、ユーザーの両足が同時に又は交互に踏んで第２の支持フレーム２００を第１の支持フレーム１００に対して揺動させ、この状況において、フィットネス機器は、踏み運動を補助することに用いられてもよい。また、ユーザーが更にフィットネス機器において横になっても、手で握っても、足を上げてもよく、フィットネス機器に様々な運動を補助させることができる。
【００３０】
上記実施形態から、本考案は、以下のメリットを有することが分かる。一、剛性の連結ロッドによって線形弾性部材に連動するフィットネス機器は、速やかに線形弾性部材の変位、回動及び跳ねる範囲を制限して線形弾性部材を安定的に伸縮させる。二、剛性連結ロッドと線形弾性部材との組み合わせの特別な連結設計によって、線形弾性部材を第１の支持フレームの内壁に接させないように第１の支持フレームに位置が制限することができ、接触による音と素子の摩耗を回避し、ノイズが無く素子の寿命が長くなるという効果を達成することができる。
【００３１】
本考案を実施形態で前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００３２】
１００  第１の支持フレーム
２００  第２の支持フレーム
２１０  バッククッション
３００  凸部
３１０  当接端部
３２０  固定端部
４００  線形弾性部材
４１０  第１の端部
４２０  第２の端部
４２１  収納空間
４２２  穴
５００  連結ロッド
５１０  球体接続端部
５２０  ロッド本体
５３０  力作用端部
６００  調整モジュール
６１０  係合部材
６２０  ネジ締め部材
６３０  ネジ部材
７００  滑車
８００  サドル
【図１】
0003198063.tif 000003
【図２】
0003198063.tif 000004
【図３】
0003198063.tif 000005
【図４】
0003198063.tif 000006
【図５】
0003198063.tif 000007
【図６】
0003198063.tif 000008